(57)【要約】【課題】整理がし易い料金印字書を形成することができて、しかも汎用性が高い料金印字装置を提供する。【解決手段】レシートプリンタ（料金印字装置）７は、ロール状に巻回されて用紙支持部１０４に支持されたレシート用紙１０３を用紙支持部１０４から印字搬送部１０５によって引き出して料金を含む情報を印字するとともに、レシート用紙１０３に穿孔部１０６によって孔を穿設する。そして、切断部１０７が、レシート用紙１０３から、穿孔部１０６によって穿設された孔及び印字搬送部１０５によって印字された情報を含む部分を印字搬送部１０５による印字範囲に応じた長さで切断して料金印字書を形成する。【選択図】図３
2011098449.tif 000002
【特許請求の範囲】
【請求項１】
ロール状に巻回されて用紙支持部に支持された用紙を前記用紙支持部から引き出して搬送する搬送部と、
前記搬送部によって引き出された前記用紙に孔を穿設する穿孔部と、
前記搬送部によって引き出された前記用紙に料金を含む情報を印字する印字部と、
前記用紙から前記穿孔部によって穿設された孔及び前記情報を含む部分を前記印字部による印字範囲に応じた長さで切断して料金印字書を形成する切断部と、
を備えることを特徴とする料金印字装置。
【請求項２】
前記穿孔部による前記孔の穿設によって生じる屑を収納する屑収納容器と、
前記屑収納容器を着脱可能に支持する容器支持部と、
を備えることを特徴とする請求項１に記載の料金印字装置。
【請求項３】
前記穿孔部は、用紙搬送方向で前記切断部の上流側に配置されていることを特徴とする請求項１又は２に記載の料金印字装置。
【請求項４】
前記穿孔部は、前記用紙を打ち抜いて前記孔を穿設するパンチ部材と、前記パンチ部材を駆動するソレノイドと、を有することを特徴とする請求項１ないし３のいずれか一項に記載の料金印字装置。
【請求項５】
前記穿孔部による前記孔の穿設動作と前記切断部による前記用紙の切断動作とを並行して行うことを特徴とする請求項１ないし４のいずれか一項に記載の料金印字装置。
【請求項６】
請求項１ないし５のいずれか一項に記載の料金印字装置を備え、前記料金印字装置が、前記料金印字書としてレシートを発行することを特徴とする商品販売データ処理装置。
【発明の詳細な説明】
【技術分野】
【０００１】
本発明は、料金印字装置及びこの料金印字装置を備える商品販売データ処理装置に関する。
【背景技術】
【０００２】
従来、ガソリンスタンドにおいて使用されるレシートプリンタとして、送り孔が形成された単票に料金を印字してレシートとして発行するドットプリンタが広く普及している。このドットプリンタでは、単票の送り穴に搬送機構のピンを挿入した状態で単票を搬送する。ここで、用紙に形成された孔にピンを挿入しそのピンで用紙を係止して用紙を綴じるピン式用紙ホルダがある。上述したレシートには送り穴が形成されているので、その送り孔にピン式用紙ホルダのピンを挿入することで、用紙ホルダにレシートを容易に綴じることができる。これにより、ピン式用紙ホルダに綴じた状態でレシートを例えば車内等に整然と保管しておくことができる。
【０００３】
また、金融機関で使用されている現金自動預払機のプリンタとして、予め綴じ孔が形成された単票に明細を印字して明細票として発行するものがある（例えば特許文献１参照）。この明細票も、綴じ孔にピン式用紙ホルダのピンを挿入することで、ピン式用紙ホルダに容易に綴じることができる。
【発明の概要】
【発明が解決しようとする課題】
【０００４】
しかしながら、単票はその様式や大きさが予め定められているため、例えばガソリンスタンドのレシートプリンタは、ガソリンスタンドで使用される単票専用のプリンタであり、金融機関の現金自動預払機のプリンタは、金融機関で使用される単票専用のプリンタであり、それらのプリンタは、汎用性に欠ける。
【０００５】
汎用性の高いプリンタとしては、例えば、ロール状の巻回されたレシート用紙を用紙支持部からプラテンローラ等によって引き出して搬送し、引き出した用紙に印字を行った後、用紙を切断してレシートを発行するサーマルプリンタがある。このようなサーマルプリンタは、任意の長さのレシートを形成することができるので、汎用性が高い。しかしながら、この場合、レシート用紙には孔が形成されていないため、発行されたレシートをピン式用紙ホルダに綴じることができず、レシートの整理がやり難いという問題がある。
【０００６】
本発明は、上記に鑑みてなされたものであって、整理がし易い料金印字書を形成することができて、しかも汎用性が高い料金印字装置及びこの料金印字装置を備える商品販売処理装置を提供することを目的とする。
【課題を解決するための手段】
【０００７】
上述した課題を解決し、目的を達成するために、本発明の料金印字装置は、ロール状に巻回されて用紙支持部に支持された用紙を前記用紙支持部から引き出して搬送する搬送部と、前記搬送部によって引き出された前記用紙に孔を穿設する穿孔部と、前記搬送部によって引き出された前記用紙に料金を含む情報を印字する印字部と、前記用紙から前記穿孔部によって穿設された孔及び前記情報を含む部分を前記印字部による印字範囲に応じた長さで切断して料金印字書を形成する切断部と、を備える。
【０００８】
また、本発明の商品販売データ処理装置は、前記料金印字装置を備え、前記料金印字装置が、前記料金印字書としてレシートを発行する。
【発明の効果】
【０００９】
本発明によれば、整理がし易い料金印字書を形成することができて、しかも汎用性が高い料金印字装置及びこの料金印字装置を備える商品販売処理装置を提供することができる。
【図面の簡単な説明】
【００１０】
【図１】図１は、本発明の一実施の形態にかかるＰＯＳ端末を示す外観斜視図である。
【図２】図２は、ＰＯＳ端末が備える各部の電気的接続を示すブロック図である。
【図３】図３は、レシートプリンタの基本的な構成を示す図である。
【図４】図４は、レシートプリンタの本体を示す斜視図である。
【図５】図５は、レシートプリンタの上部ユニットを下方から見て示す斜視図である。
【図６】図６は、レシートプリンタの穿孔部を説明するための説明図である。
【図７】図７は、穿孔部の穿孔機構を示す側面図である。
【図８】図８は、穿孔機構を下方から見て示す斜視図である。
【図９】図９は、穿孔機構を下方から見て示す斜視図である。
【図１０】図１０は、穿孔機構を説明するための説明図である。
【図１１】図１１は、レシートプリンタが備える各部の電気的接続を示すブロック図である。
【図１２】図１２は、レシートプリンタが実行するレシート発行処理の流れを示すフローチャートである。
【図１３】図１３は、レシートの第１の例を示す図である。
【図１４】図１４は、レシートの第２の例を示す図である。
【図１５】図１５は、レシートの第３の例を示す図である。
【発明を実施するための形態】
【００１１】
以下に添付図面を参照して、この発明にかかる料金印字装置及び商品販売データ処理装置の一実施の形態を詳細に説明する。本実施の形態は、料金印字装置をレシートプリンタに適用し、商品販売データ処理装置をＰＯＳ（Point of Sales：販売時点管理）端末に適用した例である。
【００１２】
図１に示すように、ＰＯＳ端末１は、制御ユニット２と、キーボード３と、客用表示器４と、キャッシャ用表示器５と、バーコードスキャナ６と、レシートプリンタ７と、を備えている。制御ユニット２には、ＰＯＳ制御部１０（図２）が設けられている。
【００１３】
図２に示すように、ＰＯＳ制御部１０は、ＣＰＵ（Central Processing Unit）１１、ＲＯＭ（Read Only Memory）１２、ＲＡＭ（Random Access Memory）１３、計時部１４、外部装置との通信を行う通信インターフェース（図面ではＩ／Ｆ）１５を有し、これらがバスライン１６を介して接続されて構成されている。ＣＰＵ１１は、各種演算やＰＯＳ端末１の各部を集中的に制御し、ＲＯＭ１２、各種プログラムや各種データを予め記憶し、ＲＡＭ１３は、ＣＰＵ１０１が各種プログラムを実行する際のワークエリア等として機能し、計時部１４は、日時を計時し、通信インターフェース１５は、外部装置との通信を行う。
【００１４】
また、ＣＰＵ１１には、バスライン１６及びＩ／Ｏ機器制御部（図示せず）を介して、前述したキーボード３と、客用表示器４、キャッシャ用表示器５、バーコードスキャナ６及びレシートプリンタ７とともに、記憶装置１７が接続されている。これにより、ＣＰＵ１１による各部の制御が可能となっているとともに、キーボード３やバーコードスキャナ６からの信号がＣＰＵ１１に入力可能となっている。
【００１５】
記憶装置１７は、例えばハードディスクドライブ装置等から構成されており、ＣＰＵ１１を動作させるプログラムの他、商品コード毎に商品名や単価などの商品情報を記憶する商品マスタファイル、販売データを記憶する売上ファイル等を格納している。この記憶装置１７は、制御ユニット２に設けられている。
【００１６】
このＰＯＳ端末１では、ＣＰＵ１１がプログラムに従って商品の販売登録処理を行う。例えば、ＣＰＵ１１は、バーコードスキャナ６が読み取った商品コードの入力やキーボードからの販売量の入力を受け付け、受け付けた商品コードに対応する商品情報を商品マスタファイルから読み出し、商品情報及び商品の販売量に基づいて当該商品の販売記録を示す販売データを生成してこれを売上ファイルに記憶することにより、当該商品の販売登録を行う。販売データには、取引の料金としての商品代金の情報が含まれる。この際、ＣＰＵ１１は、レシート３００（図１３ないし図１５参照）への印字内容を示す文字コードからなる印字データを作成して、作成した印字データをレシートプリンタ７に送信する。この印字データには、少なくとも取引の料金としての商品代金の情報が含まれる。この印字データを受信したレシートプリンタ７は、印字データに基づいてレシート３００を発行する。
【００１７】
また、販売登録処理の別例として、ＣＰＵ１１は、通信インターフェース１５を介して外部装置から、商品コードと商品の販売量とを含む取引データを受信した場合、上記の処理と同様に、受け付けた商品コードに対応する商品情報を商品マスタファイルから読み出し、商品情報及び商品の販売量に基づいて当該商品の販売記録を示す販売データを生成してこれを売上ファイルに記憶することにより、当該商品の販売登録を行う。ここで、外部装置としては、例えばガソリン等を車両に供給する給油装置等である。
【００１８】
次に、レシートプリンタ７について詳しく説明する。
【００１９】
図３や図４、図５に示すように、レシートプリンタ７は、本体１０１と、この本体１０１に対して開閉可能に取り付けられた上部ユニット１０２と、を備えている。このレシートプリンタ７は、感熱紙であるレシート用紙１０３に印字するサーマルプリンタである。レシート用紙１０３は、細長く形成された用紙であって、ロール状に巻回された用紙である。
【００２０】
レシートプリンタ７は、レシート用紙１０３を支持する用紙支持部１０４と、この用紙支持部１０４からレシート用紙１０３を引き出して搬送し、レシート用紙１０３に印字する印字搬送部１０５と、引き出されたレシート用紙１０３に孔３０２（図１３〜図１５参照）を穿設する穿孔部１０６と、レシート用紙１０３を切断する切断部１０７と、当該レシートプリンタ７の正面に設けられた排紙口１０８と、を備えている。これらの各部は、本体１０１や上部ユニット１０２に設けられている。また、レシートプリンタ７には、用紙支持部１０４から、印字搬送部１０５、穿孔部１０６及び切断部１０７をこの順で経由して排紙口１０８に到る用紙搬送経路１０９が形成されている。即ち、穿孔部１０６は、用紙搬送方向で切断部１０７の上流側に配置されているとともに、印字搬送部１０５の下流側に配置されている。
【００２１】
用紙支持部１０４には、レシート用紙１０３を収納するホッパ１１０と、収納されたレシート用紙１０３を回動可能に支持する支持ローラ１１１とが設けられている。支持ローラ１１１は、ホッパ１１０の底面１１０ａに形成されている半円弧状の断面形状を有する溝１１２の凹部に、ホッパ１１０に収納されているレシート用紙１０３の軸方向と同一方向に向けられた軸を中心に回転可能に設けられてレシート用紙１０３を回動可能に支持する。これらのホッパ１１０及び支持ローラ１１１は、本体１０１に設けられている。また、用紙支持部１０４の出口付近には、レシート用紙１０３をガイドするガイドローラ１１３が設けられている。ガイドローラ１１３は、上部ユニット１０２に設けられている。
【００２２】
印字搬送部１０５は、本体１０１に設けられたプラテンローラ１２１と、上部ユニットに設けられプラテンローラ１２１に対向する印字ヘッドであるサーマルヘッド１２２と、を有している。これらのプラテンローラ１２１とサーマルヘッド１２２とによって、それらの間に用紙搬送経路１０９が形成されている。
【００２３】
サーマルヘッド１２２は、プラテンローラ１２１に対して接離可能に支持されている。サーマルヘッド１２２は、プラテンローラ１２１に向けてバネ等の付勢部材（図示せず）によって付勢されており、当該サーマルヘッド１２２とプラテンローラ１２１との間に介在するレシート用紙１０３をプラテンローラ１２１に押し付ける。サーマルヘッド１２２は、一列に配置された複数の発熱素子（図示せず）を有しており、これらの複数の発熱素子に選択的に通電することで発熱素子を発熱させ、この発熱によって、発熱素子と接触しているレシート用紙１０３に料金を含む情報等を印字する。
【００２４】
プラテンローラ１２１は、歯車等で構成される動力伝達機構（図示せず）を介して駆動源である搬送モータ１２３（図１１参照）に連結されている。プラテンローラ１２１は、サーマルヘッド１２２によってレシート用紙１０３が押し付けられた状態で、搬送モータ１２３により回転駆動されることにより、用紙搬送経路１０９に沿ってレシート用紙１０３を搬送する。このように、印字搬送部１０５は、ロール状に巻回されて用紙支持部１０４に支持されたレシート用紙１０３を用紙支持部１０４から引き出して搬送する搬送部、及び引き出されたレシート用紙１０３に料金を含む情報を印字する印字部として機能する。
【００２５】
穿孔部１０６は、上部ユニット１０２に設けられたガイド板１２９と、上部ユニット１０２に設けられた穿孔機構１３０と、本体１０１に設けられたダイ１３１と、本体１０１に設けられた屑収納容器１３２と、を有している。この穿孔部１０６は、概略的には、図６に示すように、穿孔機構１３０に設けられたパンチ部材１３３が、ガイド板１２９とダイ１３１との間に位置するレシート用紙１０３に対して打ち抜き加工を行うことで、レシート用紙１０３に孔３０２を穿設するパンチ装置である。
【００２６】
ダイ１３１は、その上面でレシート用紙１０３の裏面を支持する。このダイ１３１には、図４及び図６に示すように、左右一対のダイ孔１３１ａが上下方向に貫通形成されている。
【００２７】
ガイド板１２９は、その下面でレシート用紙１０３の表面を支持する。このガイド板１２９には、図５及び図６に示すように、左右一対の挿通孔１２９ａが上下方向に貫通形成されている。挿通孔１２９ａは、ダイ孔１３１ａと同軸上に配置されている。このガイド板１２９とダイ１３１との間に、用紙搬送経路１０９が形成されている。ガイド板１２９の上面には、穿孔機構１３０が配設されている。
【００２８】
穿孔機構１３０は、図７ないし図１０に示すように、左右一対のパンチ部材１３３と、パンチ部材１３３を上下動可能に支持する基体１３４と、支軸１３５によって基体１３４に回動可能に連結された回動部材１３６と、この回動部材１３６等を介してパンチ部材１３３を駆動するソレノイド（駆動源）１３７と、を有している。ここで、図１０において、（ａ）は穿孔機構１３０の底面図、（ｂ）は（ａ）のＡ矢視図、（ｃ）は（ａ）のＢ矢視図である。
【００２９】
パンチ部材１３３は、上下方向に沿った円柱状に形成されており、その下端部に刃部が形成されている。パンチ部材１３３は、上下動によって用紙搬送経路１０９に対して進退可能となっており、このパンチ部材１３３が、用紙搬送経路１０９中に位置するレシート用紙１０３を打ち抜いてレシート用紙１０３に孔３０２を穿設する。このパンチ部材１３３には、第１の孔１３３ａ（図６参照）が左右方向に貫通形成されており、この第１の孔１３３ａに、刃支持軸１３８が挿入されている。第１の孔１３３ａの直径は、支軸１３５を中心としての刃支持軸１３８の回動を可能とするために、刃支持軸１３８の直径よりも大きく形成されている。
【００３０】
基体１３４は、左右一対の支持台１４０を有して構成されている。支持台１４０は、用紙搬送方向に沿って細長く形成されている。支持台１４０は、左右一対の第１の側板部１４１と、これらの第１の側板部１４１の下端部同士を連結した第１の連結板部１４２とを有して、上方に開口した断面コの字状に形成されている。支持台１４０は、板金によって形成されている。第１の連結板部１４２は、ガイド板１２９の上面に配置されている。各第１の連結板部１４２には、刃支持孔１４２ａが形成されている。つまり、刃支持孔１４２ａは、左右一対形成されている。刃支持孔１４２ａは、ガイド板１２９の挿通孔１２９ａと同軸上に配置されている。この刃支持孔１４２ａには、パンチ部材１３３が挿入されており、刃支持孔１４２ａは、その孔周面によってパンチ部材１３３を上下摺動可能に支持している。
【００３１】
左右一対の支持台１４０における用紙搬送方向下流側の端部間には、支軸１３５が掛け渡されている。また、支持台１４０の各第１の側板部１４１には、上下に長い第１の長孔１４１ａが形成されている。この第１の長孔１４１ａには、刃支持軸１３８が挿通されている。この第１の長孔１４１ａの短手方向の幅は、支軸１３５を中心としての刃支持軸１３８の回動を可能とするために、刃支持軸１３８の直径よりも大きく形成されている。
【００３２】
回動部材１３６は、左右一対の第２の側板部１４３と、これらの第２の側板部１４３同士を接続した第２の連結板部１４４と、を有しており、下方に開口した断面コの字状に形成されている。回動部材１３６は、板金によって形成されている。左右一対の第２の側板部１４３は、支軸１３５によって軸支されており、これにより、回動部材１３６は、支軸１３５を中心として基体１３４に対して回動可能となっている。
【００３３】
左右一対の第２の側板部１４３間には、刃支持軸１３８が掛け渡されており、各第２の側板部１４３に刃支持軸１３８が係合している。また、左右一対の第２の側板部１４３には、第２の長孔１４３ａが形成されている。第２の長孔１４３ａは、支軸１３５から離間するほど上方に位置するように水平面に対して傾斜している。この第２の長孔１４３ａには、駆動軸１４６が第２の長孔１４３ａの長手方向に沿って移動可能に挿入されており、これにより、駆動軸１４６は、左右一対の第２の側板部１４３に掛け渡されている。回動部材１３６は、支軸１３５と係合している部分を支点、駆動軸１４６と係合している部分を力点、刃支持軸１３８と係合している部分を作用点とする梃子となっている。
【００３４】
回動部材１３６は、支軸１３５に外挿された付勢部材であるねじりコイルバネ１４７によって上方に付勢されている。そして、このねじりコイルバネ１４７の付勢力によって、刃支持軸１３８が支持台１４０第１の長孔１４１ａの周面における上面部に当接し（図７、図８）、回動部材１３６及びパンチ部材１３３が初期位置に位置決めされる。この初期位置では、パンチ部材１３３は、用紙搬送経路１０９の上方に退避している。
【００３５】
ソレノイド１３７は、通電（ＯＮ）されることで、可動軸１４８を本体１４９に引き込む構成となっている。ソレノイドは、可動軸１４８がパンチ部材１３３の移動方向（上下方向）と直交する方向（レシートプリンタ７の前後方向）に移動するように配置されている。可動軸１４８の先端部には、駆動軸１４６が左右方向に貫通した状態で固定されている。
【００３６】
以上の構成の穿孔機構１３０では、パンチ部材１３３が初期位置に位置した状態（図７、図８）から、ソレノイド１３７への通電が開始されると、ねじりコイルバネ１４７の付勢力に抗してソレノイド１３７が可動軸１４８を本体１４９に引き込み、これにより、可動軸１４８とともに駆動軸１４６が支軸１３５から離反する方向（図７中の矢印ａ方向）に移動する。この移動において、駆動軸１４６は、第２の長孔１４３ａの周面を下方に押しながら移動する。これにより、回動部材１３６が支軸１３５を中心として下方（図７中の矢印ｂ方向）に回動する。そして、この回動部材１３６の下方への回動によって、刃支持軸１３８が下方に移動し、これにより、パンチ部材１３３が下方（図７中の矢印ｃ方向）に移動し（図９の状態）、パンチ部材１３３がガイド板１２９の挿通孔１２９ａを貫通して用紙搬送経路１０９に進出してダイ１３１のダイ孔１３１ａに入り込む。パンチ部材１３３は、この移動過程で、ダイ１３１とガイド板１２９間（用紙搬送経路１０９）に位置するレシート用紙１０３に対して打ち抜きを行い、レシート用紙１０３に孔３０２を穿設する。そして、ソレノイド１３７の通電が終了すると、ソレノイド１３７による駆動力が無くなり、ねじりコイルバネ１４７の付勢力によって、回動部材１３６が支軸１３５を中心として上方（図７中の矢印ｄ方向）へ回動し、回動部材１３６及びパンチ部材１３３が初期位置に復帰する（図７、図８）。ここで、基体１３４、支軸１３５、回動部材１３６、刃支持軸１３８及び駆動軸１４６は、ソレノイドの可動軸１４８の直線移動を、このソレノイドの可動軸１４８の直線移動と直交するパンチ部材１３３の直線移動に変換する変換機構を構成している。
【００３７】
屑収納容器１３２は、図３に示すように、ダイ１３１の下方に配置されており、穿孔部１０６による孔３０２の穿設によって生じる屑を収納する。屑収納容器１３２は、上面開口の箱状に容器本体１３２ａと、この容器本体１３２ａの正面に取り付けられた取っ手１３２ｂとを有しており、穿孔部１０６によって打ち抜かれて落下するレシート用紙１０３の屑を容器本体１３２ａに受け入れる。この屑収納容器１３２は、本体１０１に設けられた容器支持部１５０に着脱可能に支持されている。詳しくは、屑収納容器１３２は、レシートプリンタ７の正面側から容器支持部１５０に対して引き出し可能に支持されている。
【００３８】
切断部１０７は、共に略平板状の固定刃１６１と可動刃１６２とを有しており、非稼動時には両刃１６１，１６２が離間した分離型構造となっている。これらの固定刃１６１と可動刃１６２とは、平行位置から僅かに傾斜して位置決めされており、可動刃１６２が回動することで、それらの刃部１６１ａ，１６２ａが鋏のように噛み合う。つまり、切断部１０７は、固定刃１６１と可動刃１６２とを噛み合わせることにより、レシート用紙１０３を切断する構造のロータリカッタである。
【００３９】
可動刃１６２は、駆動源であるカッタモータ１６３（図１１）に連結され回転駆動される板カム１６４（図４）及びこの板カム１６４に摺動可能に連結されたアーム１６５（図４）を介して、カッタモータ１６３からの駆動力を受けて回動する。アーム１６５は、板カム１６４を原動節とするカム機構を構成するように従動節として板カム１６４に連結されており、可動刃支軸１６６を中心に摺動駆動される。アーム１６５の摺動先端部分には連結孔（図示せず）が形成されており、可動刃１６２の側面に設けられた連結ピン１６７が嵌合されている。また、可動刃１６２は、可動刃支軸１６６により回動自在に軸支されている。従って、アーム１６５が可動刃支軸１６６を中心に摺動駆動されると、アーム１６５の連結孔に嵌合されている連結ピン１６７が駆動されて、可動刃１６２は可動刃支軸１６６を中心に回動する。
【００４０】
また、レシートプリンタ７には、搬送されるレシート用紙１０３をガイドする上側ガイド板１７０及び下側ガイド板１７１が設けられており、これらの上側ガイド板１７０及び下側ガイド板１７１は、用紙搬送経路１０９を形成している。上側ガイド板１７０は、上部ユニット１０２に設けられており、下側ガイド板１７１は、本体１０１に設けられている。
【００４１】
また、レシートプリンタ７は、図１１に示すように、制御部２００を備えている。制御部２００は、ＣＰＵ２０１、ＲＯＭ２０２、ＲＡＭ２０３、通信インターフェース２０４を有し、これらがバスライン２０５を介して接続されて構成されている。ＣＰＵ２０１は、各種演算やレシートプリンタ７の各部を集中的に制御し、ＲＯＭ２０２は、各種プログラムや各種データを予め記憶する。ＲＡＭ２０３は、ＣＰＵ２０１が各種プログラムを実行する際のワークエリア等として機能する。また、ＲＡＭ２０３は、バッテリによりバックアップされており、印字バッファとキャラクタジェネレータとを備えている。また、ＣＰＵ２０１には、搬送モータ１２３、カッタモータ１６３、サーマルヘッド１２２、ソレノイド１３７、各種センサ（用紙切れを検知する用紙センサ、上部ユニット１０２の開閉を検知するカバー開閉センサ等）２０６がバスライン２０５を介して接続されている。これら各部をＣＰＵ２０１はＲＯＭ２０２に記憶された各種プログラムを実行することにより制御する。
【００４２】
このような構成のレシートプリンタ７において、レシート用紙１０３をセットするには、まず、上部ユニット１０２を開ける。これにより、用紙搬送経路１０９が開放される。この状態で、レシート用紙１０３を用紙支持部１０４に収納して、レシート用紙１０３を可動刃１６２よりも用紙搬送方向下流側に引き出し、上部ユニット１０２を閉じる。これにより、レシート用紙１０３が、サーマルヘッド１２２とプラテンローラ１２１との間、ガイド板１２９とダイ１３１との間、固定刃１６１と可動刃１６２との間に通された状態となる。このように、本実施の形態では、上部ユニット１０２が開閉可能であるので、レシートプリンタ７へのレシート用紙１０３のセットを簡単に行なうことができる。
【００４３】
次に、レシートプリンタ７のＣＰＵ２０１がＲＯＭ２０２に記憶された各種プログラムに基づいて実行する処理のうち、レシート３００を発行するレシート発行処理について説明する。
【００４４】
図１２に示すように、レシートプリンタ７のＣＰＵ２０１は、ＰＯＳ制御部１０のＣＰＵ１０１から印字データを受信すると、搬送モータ１２３を回転制御してプラテンローラ１２１を回転させ、プラテンローラ１２１によってレシート用紙１０３を搬送させる（ステップＳ１０１）。これにより、ホッパ１１０に収納されているレシート用紙１０３が印字搬送部１０５側へ引き出されて搬送され始める。
【００４５】
続いて、ＣＰＵ２０１は、ＰＯＳ制御部１０のＣＰＵ１０１から受信した印字データに従い、キャラクタジェネレータに格納されている文字パターンから対応するキャラクタパターンを検索し、検索したキャラクタパターンを印字バッファに印刷データとして展開する。そして、ＣＰＵ２０１は、プラテンローラ１２１を回転制御してレシート用紙１０３を一定速度で断続的に搬送させながら、サーマルヘッド１２２を制御して、サーマルヘッド１２２に印刷データに従いレシート用紙１０３に対して一行毎に印字を実行させる（ステップＳ１０２）。続いて、ＣＰＵ２０１は、レシート用紙１０３への印字が終了したことを認識すると、所定時間経過後に搬送モータ１２３の駆動を停止させてプラテンローラ１２１の回転駆動を終了させ、プラテンローラ１２１によるレシート用紙１０３の搬送を終了させる（ステップＳ１０３）。
【００４６】
続いて、ＣＰＵ２０１は、カッタモータ１６３を回転駆動して切断部１０７にレシート用紙１０３を切断させると同時に、ソレノイド１３７に通電して穿孔部１０６にレシート用紙１０３に孔３０２を穿設させる（ステップＳ１０４）。これにより、穿孔部１０６による孔３０２の穿設動作と切断部１０７によるレシート用紙１０３の切断動作とが並行して行われる。このとき、穿孔部１０６は、切断部１０７の用紙搬送方向上流側に位置している。したがって、穿孔部１０６は、次回の処理で発行するレシート３００用の孔３０２を穿設する。即ち、今回の処理で印字がなされて発行されるレシート３００に形成されている孔３０２は、前回の処理で穿孔部１０６によって穿設された孔３０２である。穿孔部１０６は、レシート３００の上端部となる位置に左右２箇所の孔３０２を穿設する。また、このとき、ＣＰＵ２０１は、切断部１０７がレシート用紙１０３から孔３０２及び印字搬送部１０５によって印字された情報を含む部分を印字搬送部１０５による印字範囲に応じた長さで切断して料金印字書を形成するように、切断部１０７を制御する。詳細には、印字搬送部１０５による印字範囲の用紙搬送方向の長さが短いほど、孔３０２及び印字された情報を含む部分の長さを短く切断する。これにより、図１３ないし図１４に示すように、印字搬送部１０５による印字範囲に応じた長さのレシート３００が形成される。このようにして形成されたレシート用紙１０３は、排紙口１０８から発行される。なお、新品のレシート用紙１０３をレシートプリンタ７にセットした場合には、客との取引の前に、レシートのテスト発行をするように運用することで、客との取引時には孔３０２が形成されたレシート３００を発行することができる。
【００４７】
このようにして発行されたレシート３００は、図１３ないし図１５に示すように、料金３０１やロゴ等の商取引に関する各種の情報が表示されている。また、レシート３００には、その上端部に左右一対の孔３０２が形成されている。ここで、レシート用紙の横幅（左右方向の幅）は、例えば４５ｍｍである。
【００４８】
以上説明したように、本実施の形態では、レシートプリンタ７は、孔３０２を形成したレシート３００を形成する。したがって、レシート３００を受け取った客は、その孔３０２を用いてレシート３００を綴じることができ、レシート３００の整理がし易い。例えば、上述したピン式用紙ホルダのピンにレシート３００の孔３０２を挿入することで、用紙ホルダにレシート３００を容易に綴じることができる。これにより、ピン式用紙ホルダに綴じた状態で複数のレシート３００を例えば車内等に整然と保管しておくことができる。また、本実施の形態では、切断部１０７が、レシート用紙１０３から、穿孔部１０６によって孔３０２が穿設され且つ印字搬送部１０５によって情報が印字された部分を、印字搬送部による印字範囲に応じた長さで切断してレシート３００を形成するので、印字量や印字内容に応じて様々な大きさ（長さ）のレシート３００を形成することができる。よって、レシートプリンタ７の汎用性が高い。即ち、本実施の形態によれば、整理がし易い料金印字書であるレシート３００を形成することができて、しかも汎用性が高いレシートプリンタ７及びこのレシートプリンタ７を備えるＰＯＳ端末１を提供することができる。
【００４９】
また、本実施の形態のレシートプリンタ７は、穿孔部１０６による孔３０２の穿設によって生じる屑を収納する屑収納容器１３２と、屑収納容器１３２を着脱可能に支持する容器支持部１５０と、を備える。したがって、ユーザは、屑を収容した屑収納容器１３２を容器支持部１５０から取り外して、容器支持部１５０内の屑をゴミ箱等に廃棄することができるので、屑の廃棄処理を容易に行うことができる。
【００５０】
また、本実施の形態では、穿孔部１０６は、用紙搬送方向で切断部１０７の上流側に配置されている。したがって、レシート３００として切断される前に穿孔部１０６によってレシート用紙１０３に孔３０２を穿設することができる。
【００５１】
また、本実施の形態では、穿孔部１０６は、用紙であるレシート用紙１０３を打ち抜いて孔３０２を穿設するパンチ部材１３３と、パンチ部材１３３を駆動するソレノイド１３７と、を有する。ソレノイド１３７の制御は比較的容易であるので、孔３０２の高い位置精度を比較的容易に確保することができる。
【００５２】
また、本実施の形態のレシートプリンタ７は、穿孔部１０６による孔３０２の穿設動作と切断部１０７による用紙１０３の切断動作とを並行して行う。したがって、穿設動作と切断動作とが並行して行われない場合に比べて、レシート３００の形成時間が少なくて済むという利点がある。
【００５３】
なお、本発明は、上記実施の形態に限ることなく本発明の要旨を逸脱しない範囲で他の実施の形態を各種採用することができる。例えば、商品販売データ処理装置を、ＥＣＲ（Electric Cash Register）に適用しても良い。
【００５４】
また、料金印字書は、用紙に何らかの料金が印字されているものであれば良く、例えば、料金が印字された請求書等であっても良い。
【００５５】
また、上記の実施の形態において、穿孔部１０６のパンチ部材１３３の駆動源として、ソレノイド１３７に代えてモータを用いてもよい。この場合には、モータの回転運動をカム機構等の変換機構を用いてパンチ部材１３３の上下運動に変換すれば良い。
【００５６】
また、上記の実施の形態において、レシートプリンタ７やＰＯＳ端末１で実行される各種プログラムを、インターネット等のネットワークに接続されたコンピュータ上に格納し、ネットワーク経由でダウンロードさせることにより提供するように構成しても良い。また、当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成しても良い。
【符号の説明】
【００５７】
１…ＰＯＳ端末（商品販売データ処理装置）
７…レシートプリンタ（料金印字装置）
１０３…レシート用紙（用紙）
１０４…用紙支持部
１０５…印字搬送部（搬送部、印字部）
１０６…穿孔部
１０７…切断部
１３２…屑収納容器
１３３…パンチ部材
１３７…ソレノイド
１５０…容器支持部
３００…レシート（料金印字書）
３０２…孔
【先行技術文献】
【特許文献】
【００５８】
【特許文献１】特開２００５−２７９９８３公報
【図１】
2011098449.tif 000003
【図２】
2011098449.tif 000004
【図３】
2011098449.tif 000005
【図４】
2011098449.tif 000006
【図５】
2011098449.tif 000007
【図６】
2011098449.tif 000008
【図７】
2011098449.tif 000009
【図８】
2011098449.tif 000010
【図９】
2011098449.tif 000011
【図１０】
2011098449.tif 000012
【図１１】
2011098449.tif 000013
【図１２】
2011098449.tif 000014
【図１３】
2011098449.tif 000015
【図１４】
2011098449.tif 000016
【図１５】
2011098449.tif 000017